(57)【要約】【課題】コイルを形成する巻線を巻溝から巻溝へ渡らせる部分に電位差が発生しないようにすることにより、レヤショートなどの不具合が発生するのを防止することのできるコイルボビンを提供する。【解決手段】巻線２８ｗを巻き付ける巻溝２７ｗを形成する周回した複数の鍔部２７ｓを、筒部２７ｐの外周に設けるとともに、巻線２８ｗを巻き終えた一方の巻溝２７ｗａ，２７ｗｂ，２７ｗｃから巻線２８ｗを巻き始める他方の巻溝２７ｗｂ，２７ｗｃ，２７ｗｄへ巻線２８ｗを渡らせる渡り溝２７ｄを鍔部２７ｓに設けた二次コイルボビン２７において、一方の巻溝２７ｗａ，２７ｗｂ，２７ｗｃから他方の巻溝２７ｗｂ，２７ｗｃ，２７ｗｄへの渡り溝２７ｄが設けられている他方の巻溝２７ｗｂ，２７ｗｃ，２７ｗｄの底部分に肉盛り部２７ｍを設け、この肉盛り部２７ｍの高さを一方の巻溝２７ｗａ，２７ｗｂ，２７ｗｃに巻き付ける巻線２８ｗの積層高Ｈにする。【選択図】図４
2008098538.tif 000002
【特許請求の範囲】
【請求項１】
巻線を巻き付ける巻溝を形成する周回した複数の鍔部を、筒部の外周に軸方向へ設けるとともに、前記巻線を巻き終えた一方の前記巻溝からこの一方の巻溝に隣接し、前記巻線を巻き始める他方の前記巻溝へ前記巻線を渡らせる渡り溝を前記鍔部に設けたコイルボビンにおいて、
前記一方の巻溝から前記他方の巻溝への前記渡り溝が設けられている前記他方の巻溝の底部分に肉盛り部を設けた、
ことを特徴とするコイルボビン。
【請求項２】
請求項１に記載のコイルボビンにおいて、
前記肉盛り部の高さを前記一方の巻溝に巻き付ける前記巻線の積層高さにした、
ことを特徴とするコイルボビン。
【請求項３】
少なくとも、一次コイルと、二次コイルと、前記一次コイルと前記二次コイルとを磁気的に結合させる鉄心とを絶縁ケース内に収納し、この絶縁ケース内に絶縁樹脂を充填して前記各コイル間、前記各コイルと前記鉄心との間を絶縁するとともに、前記絶縁ケース内に前記各コイル、前記鉄心を固定した内燃機関用点火コイルにおいて、
前記二次コイルを形成する巻線を巻き付ける巻溝を形成する周回した複数の鍔部を、筒部の外周に軸方向へ設けるとともに、前記巻線を巻き終えた一方の前記巻溝からこの一方の巻溝に隣接し、前記巻線を巻き始める他方の前記巻溝へ前記巻線を渡らせる渡り溝を前記鍔部に設けた二次コイルボビンの、前記一方の巻溝から前記他方の巻溝への前記渡り溝が設けられている前記他方の巻溝の底部分に肉盛り部を設けた、
ことを特徴とする内燃機関用点火コイル。
【請求項４】
請求項３に記載の内燃機関用点火コイルにおいて、
前記肉盛り部の高さを前記一方の巻溝に巻き付ける前記巻線の積層高さにした、
ことを特徴とする内燃機関用点火コイル。
【発明の詳細な説明】
【技術分野】
【０００１】
この発明は、コイルを形成するためのコイルボビン、および、このコイルボビンを使用し、自動車のエンジンなどの内燃機関の点火プラグに、火花放電を発生させるための高電圧を供給する内燃機関用点火コイルに関するものである。
【背景技術】
【０００２】
図５は内燃機関用点火コイルの概略構成を示す断面図である。
【０００３】
図５において、内燃機関用点火コイル１１は、絶縁ケース２１と、この絶縁ケース２１の上端部に一体的に設けられたソケット部２１ｓに設けられている複数の低圧端子（一次端子）２２と、絶縁ケース２１の下端部に一体的に設けられた高圧タワー部２１ｔ内に圧入された高圧端子（二次端子）２３と、絶縁ケース２１内に収納されたコイル・鉄心組立体２４と、絶縁ケース２１内に充填され、各部品（例えば、後述する一次コイル２６、二次コイル２８、鉄心３０）の相互の高圧絶縁を行うとともに、各部品を絶縁ケース２１内に固定する絶縁樹脂である、例えば、エポキシ樹脂などの熱硬化性樹脂３１とで構成されている。
なお、複数の低圧端子２２は、例えば、絶縁ケース２１の成形時にインサートされる。
【０００４】
上記したコイル・鉄心組立体２４は、一次コイルボビン２５と、この一次コイルボビン２５の外周に巻線を巻き付け、積層して形成された一次コイル２６と、この一次コイル２６の外周に配置された二次コイルボビン２７と、この二次コイルボビン２７の外周に巻線２８ｗを巻き付け、積層して形成された二次コイル２８と、閉磁路で一次コイル２６と二次コイル２８とを磁気的に結合する鉄心３０とで構成されている。
そして、一次コイルボビン２５は、絶縁ケース２１内に収納されて絶縁ケース２１の側面部に設けられた開口２１ｈを内側から閉塞する。
また、鉄心３０は、例えば、Ｅ字形の２つの積層鉄心３０ａ，３０ｂで構成され、積層鉄心３０ａ，３０ｂの中央脚が一次コイルボビン２５内へ両端から挿入されて接し、積層鉄心３０ａ，３０ｂの基部および両外側脚が絶縁ケース２１の外側に位置している。
そして、積層鉄心３０ａ，３０ｂの両外側脚同士は、例えば、接着、溶接で接合されている。
なお、複数の低圧端子２２、一次コイル２６の両端、二次コイル２８の一端は所定の回路を構成するように接続され、二次コイル２８の他端は、二次コイルボビン２７の端部に取り付けられた端末ピン、導線などの導電体２９を介して高圧端子２３に接続されている。
【０００５】
図６は従来の二次コイルボビンの一例を示す側断面図、図７は図６の部分Ａの拡大部分図、図８は図７のＸ−Ｘ線による部分断面図であり、図５と同一または相当部分に同一符号を付してある。
【０００６】
これらの図において、二次コイルボビン２７は、四隅に丸みを持たせた四角い筒部２７ｐと、この筒部２７ｐの外周に一端から他端へ所定の間隔で周回させて設けられ、仕切として機能する鍔部２７ｓとで構成されている。
そして、巻線２８ｗを巻き付ける巻溝２７ｗは、筒部２７ｐの外周と、この外周に対向して設けられた２つの鍔部２７ｓとによって構成されている。
なお、鍔部２７ｓには、巻線２８ｗを巻き終わった巻溝２７ｗ（例えば、図８における巻溝２７ｗａ，２７ｗｂ，２７ｗｃ）から巻線２８ｗを巻き始める巻溝２７ｗ（例えば、図８における巻溝２７ｗｂ，２７ｗｃ，２７ｗｄ）へ巻線２８ｗを渡らせるための渡り溝２７ｄが設けられている。
そして、渡り溝２７ｄは、図６に示すように、鍔部２７ｓの対角線の位置に鍔部２７ｓの軸方向へ交互に、すなわち、鍔部２７ｓの周方向へ順次ずらせて設けられている。
【０００７】
次に、二次コイル２８に形成について説明する。
まず、例えば、図８に示すように、巻線２８ｗを所定回数巻き終えた巻溝２７ｗａから隣接する巻溝２７ｗｂへ鍔部２７ｓの渡り溝２７ｄを介して渡らせ、巻線２８ｗを巻溝２７ｗｂに所定回数巻き付ける。
そして、巻線２８ｗを所定回数巻き終えた巻溝２７ｗｂから隣接する巻溝２７ｗｃへ鍔部２７ｓの渡り溝２７ｄを介して渡らせ、巻線２８ｗを巻溝２７ｗｃに所定回数巻き付けるのを、順次各巻溝２７ｗに対して行うことにより、二次コイルボビン２７の外周に二次コイル２８を形成することができる（例えば、特許文献１参照。）。
【０００８】
【特許文献１】特開２００４−２２１１４７号公報
【発明の開示】
【発明が解決しようとする課題】
【０００９】
従来の二次コイルボビン２７は、渡り溝２７ｄ部分の各巻溝２７ｗの底の高さが一様であるので、図８に示すように、巻線２８ｗを巻溝２７ｗａから巻溝２７ｗｂへ渡らせ、巻線２８ｗを巻溝２７ｗｂから巻溝２７ｗｃへ渡らせ、巻線２８ｗを巻溝２７ｗｃから巻溝２７ｗｄへと順次渡らせると、巻溝２７ｗａにおける巻線２８ｗの巻き終わりと、巻溝２７ｗｂにおける巻線２８ｗの巻き始めとの間に、また、巻溝２７ｗｂにおける巻線２８ｗの巻き終わりと、巻溝２７ｗｃにおける巻線２８ｗの巻き始めとの間に、また、巻溝２７ｗｃにおける巻線２８ｗの巻き終わりと、巻溝２７ｗｄにおける巻線２８ｗの巻き始めとの間に、巻線２８ｗを巻き付けた積層高さＨに相当する段差Ｓが発生する。
このように、巻線２８ｗの間に積層高さＨに相当する段差Ｓが発生すると、この段差Ｓによって電位差が発生し、この電位差に起因するレヤショートなどの不具合が発生する可能性がある。
【００１０】
この発明は、上記したような不都合を解消するためになされたもので、コイルを形成する巻線を巻溝から巻溝へ渡らせる部分に発生する電位差を小さくすることにより、レヤショートなどの不具合が発生するのを防止することのできるコイルボビン、および、このコイルボビンを使用した内燃機関用点火コイルを提供するものである。
【課題を解決するための手段】
【００１１】
この発明は、以下のような発明である。
（１）巻線を巻き付ける巻溝を形成する周回した複数の鍔部を、筒部の外周に軸方向へ設けるとともに、前記巻線を巻き終えた一方の前記巻溝からこの一方の巻溝に隣接し、前記巻線を巻き始める他方の前記巻溝へ前記巻線を渡らせる渡り溝を前記鍔部に設けたコイルボビンにおいて、前記一方の巻溝から前記他方の巻溝への前記渡り溝が設けられている前記他方の巻溝の底部分に肉盛り部を設けたことを特徴とする。
（２）（１）に記載のコイルボビンにおいて、前記肉盛り部の高さを前記一方の巻溝に巻き付ける前記巻線の積層高さにしたことを特徴とする。
（３）少なくとも、一次コイルと、二次コイルと、前記一次コイルと前記二次コイルとを磁気的に結合させる鉄心とを絶縁ケース内に収納し、この絶縁ケース内に絶縁樹脂を充填して前記各コイル間、前記各コイルと前記鉄心との間を絶縁するとともに、前記絶縁ケース内に前記各コイル、前記鉄心を固定した内燃機関用点火コイルにおいて、前記二次コイルを形成する巻線を巻き付ける巻溝を形成する周回した複数の鍔部を、筒部の外周に軸方向へ設けるとともに、前記巻線を巻き終えた一方の前記巻溝からこの一方の巻溝に隣接し、前記巻線を巻き始める他方の前記巻溝へ前記巻線を渡らせる渡り溝を前記鍔部に設けた二次コイルボビンの、前記一方の巻溝から前記他方の巻溝への前記渡り溝が設けられている前記他方の巻溝の底部分に肉盛り部を設けたことを特徴とする。
（４）（３）に記載の内燃機関用点火コイルにおいて、前記肉盛り部の高さを前記一方の巻溝に巻き付ける前記巻線の積層高さにしたことを特徴とする。
【発明の効果】
【００１２】
この発明によれば、コイルボビンまたは二次コイルボビンの、一方の巻溝から他方の巻溝への渡り溝が設けられている他方の巻溝の底部分に肉盛り部を設けたので、一方の巻溝における巻線の巻き終わりと、他方の巻溝における巻線の巻き始めとの間に発生する段差を少なくすることができる。
したがって、一方の巻溝における巻線の巻き終わりと、他方の巻溝における巻線の巻き始めとの間に発生する段差に基づく電位差が小さくなり、この電位差に起因するレヤショートなどの不具合の発生を少なくすることができる。
そして、肉盛り部の高さを一方の巻溝に巻き付ける巻線の積層高さにしたので、一方の巻溝における巻線の巻き終わりと、他方の巻溝における巻線の巻き始めとの間に発生する段差がなくなる。
したがって、一方の巻溝における巻線の巻き終わりと、他方の巻溝における巻線の巻き始めとの間に発生する段差に基づく電位差がなくなることにより、レヤショートなどの不具合が発生しなくなる。
【発明を実施するための最良の形態】
【００１３】
以下、この発明の実施例を図に基づいて説明する。
【００１４】
図１（ａ），（ｂ）はこの発明の一実施例である内燃機関用点火コイルに使用する二次コイルボビンを示す側断面斜視図、図２は図１（ａ）の側面図、図３は図２の部分Ｂの拡大部分図、図４は図３のＹ−Ｙ線による部分断面図であり、図５〜図８と同一または相当部分に同一符号を付してある。
なお、図１（ａ），（ｂ）における巻線（二次コイル）の図示は省略されている。
そして、図１（ｂ）の側断面斜視図は、図１（ａ）における１つ奥隣の巻溝部分で切断したものである。
【００１５】
この実施例の二次コイルボビン２７が図６〜図８に示した二次コイルボビン２７と異なるところは、巻線２８ｗを巻き終えた一方の巻溝２７ｗ（巻溝２７ｗａ，２７ｗｂ，２７ｗｃ）から巻線２８ｗを巻き始める他方の巻溝２７ｗ（巻溝２７ｗｂ，２７ｗｃ，２７ｗｄ）への渡り溝２７ｄが設けられている巻溝２７ｗｂ，２７ｗｃ，２７ｗｄの底部分に、巻溝２７ｗａ，２７ｗｂ，２７ｗｃに巻き付けた巻線２８ｗの積層高さＨに相当する肉盛り部２７ｍを設けたところである。
なお、肉盛り部２７ｍの周方向の両端は、巻線２８ｗが浮いたり、撓まないように巻き付けることがように、なだらかに下降する傾斜面とされている。
【００１６】
このように、二次コイルボビン２７の、一方の巻溝２７ｗ（巻溝２７ｗａ，２７ｗｂ，２７ｗｃ）から他方の巻溝２７ｗ（巻溝２７ｗｂ，２７ｗｃ，２７ｗｄ）への渡り溝２７ｄが設けられている他方の巻溝２７ｗ（巻溝２７ｗｂ，２７ｗｃ，２７ｗｄ）の底部分に肉盛り部２７ｍを設けると、一方の巻溝２７ｗ（巻溝２７ｗａ，２７ｗｂ，２７ｗｃ）におけるの巻線２８ｗの巻き終わりと、他方の巻溝２７ｗ（巻溝２７ｗｂ，２７ｗｃ，２７ｗｄ）における巻線２８ｗの巻き始めとの間に発生する段差がなくなる。
したがって、一方の巻溝２７ｗ（巻溝２７ｗａ，２７ｗｂ，２７ｗｃ）における巻線２８ｗの巻き終わりと、他方の巻溝２７ｗ（巻溝２７ｗｂ，２７ｗｃ，２７ｗｄ）における巻線２８ｗの巻き始めとの間に発生する段差に基づく電位差がなくなることにより、レヤショートなどの不具合が発生しなくなる。
【００１７】
上記した実施例では、二次コイルボビン２７の筒部２７ｐを四角い筒状にした例を示したが、コイルボビンの筒部は四角形に限られるものではない。
また、渡り溝２７ｄおよび肉盛り部２７ｍを対角線の位置に設けた例を示したが、隣り合う渡り溝および肉盛り部は鍔部の周方向にずれていれば、対角線の位置以外の位置であってもよい。
さらに、肉盛り部２７ｍの高さを巻線２８ｗの積層高さＨにした例を示したが、レヤショートなどの不具合が発生するのを少なくするのであれば、肉盛り部の高さを巻線の積層高さよりも低くしてもよい。
【図面の簡単な説明】
【００１８】
【図１】（ａ），（ｂ）はこの発明の一実施例である内燃機関用点火コイルに使用する二次コイルボビンを示す側断面斜視図である。
【図２】図１（ａ）の側面図である。
【図３】図２の部分Ｂの拡大部分図である。
【図４】図３のＹ−Ｙ線による部分断面図である。
【図５】内燃機関用点火コイルの概略構成を示す断面図である。
【図６】従来の二次コイルボビンの一例を示す側断面図である。
【図７】図６の部分Ａの拡大部分図である。
【図８】図７のＸ−Ｘ線による部分断面図である。
【符号の説明】
【００１９】
１１      内燃機関用点火コイル
２１      絶縁ケース
２１ｈ    開口
２１ｓ    ソケット部
２１ｔ    高圧タワー部
２２      低圧端子（一次端子）
２３      高圧端子（二次端子）
２４      コイル・鉄心組立体
２５      一次コイルボビン
２６      一次コイル
２７      二次コイルボビン
２７ｐ    筒部
２７ｓ    鍔部
２７ｄ    渡り溝
２７ｗ    巻溝
２７ｗａ  巻溝
２７ｗｂ  巻溝
２７ｗｃ  巻溝
２７ｗｄ  巻溝
２７ｍ    肉盛り部
２８      二次コイル
２８ｗ    巻線
２９      導電体
３０      鉄心
３０ａ    積層鉄心
３０ｂ    積層鉄心
３１      熱硬化性樹脂（絶縁樹脂）
Ｈ        積層高さ
Ｓ        段差
【図１】
2008098538.tif 000003
【図２】
2008098538.tif 000004
【図３】
2008098538.tif 000005
【図４】
2008098538.tif 000006
【図５】
2008098538.tif 000007
【図６】
2008098538.tif 000008
【図７】
2008098538.tif 000009
【図８】
2008098538.tif 000010